(57)【要約】本発明は、移動通信端末に対するフレームに一つ以上の資源を予め割り当てる方法に関するもので、モバイルに資源割り当てデータを提供しながら多様性を追加するために予め多数のフレームに資源割り当てデータを伝送することを含む。移動通信端末に対するフレームに一つ以上の資源を割り当てる方法において、Ｎ−Ｘ番目のフレームで伝送された１番目のパケットと関連して伝送された１番目のＭＡＣヘッダーでＮ番目のフレームに対する資源割り当てデータを含むことを含み、前記１番目のＭＡＣヘッダーは、Ｎ番目のフレームで伝送されたパケットの前のＸ番目のフレームで伝送された１番目のパケットに含まれ、前記Ｘは０より大きい数であることを特徴とする、資源割り当て方法。【選択図】図１Ｂ
2010530145.tif 000002
【特許請求の範囲】
【請求項１】
移動通信端末に対するフレームに一つ以上の資源を割り当てる方法において、
Ｎ−Ｘ番目のフレームで伝送された１番目のパケットと関連して伝送された１番目のＭＡＣヘッダーでＮ番目のフレームに対する資源割り当てデータを含むことを含み、
前記１番目のＭＡＣヘッダーは、Ｎ番目のフレームで伝送されたパケットの前のＸ番目のフレームで伝送された１番目のパケットに含まれ、前記Ｘは０より大きい数であることを特徴とする、資源割り当て方法。
【請求項２】
前記Ｎ−Ｙ番目のフレームと関連した放送オーバーヘッドチャネル（Ｂｒｏａｄｃａｓｔ  Ｏｖｅｒｈｅａｄ  Ｃｈａｎｎｅｌ：ＢＯＣ）を通して前記Ｎ番目のフレームに対する前記資源割り当てデータを伝送することをさらに含み、前記Ｙは０より大きい数であることを特徴とする、請求項１に記載の資源割り当て方法。
【請求項３】
前記Ｎ−Ｚ番目のフレームと関連した放送オーバーヘッドチャネル（ＢＯＣ）を通してＮ番目のフレームに対する資源割り当てデータを伝送することをさらに含み、Ｚは０より大きい数であることを特徴とする、請求項２に記載の資源割り当て方法。
【請求項４】
前記ＹはＹ＝Ｘ＋１を満足することを特徴とする、請求項２に記載の資源割り当て方法。
【請求項５】
前記ＮはＮ＝Ｘ＋２を満足することを特徴とする、請求項３に記載の資源割り当て方法。
【請求項６】
Ｎ−Ｗ番目のフレームで伝送された２番目のパケットと関連して伝送された２番目のＭＡＣヘッダーで前記Ｎ番目のフレームに対する資源割り当てデータを含むことをさらに含み、
前記２番目のＭＡＣヘッダーは、前記Ｎ番目のフレームで伝送された前記パケットの前のＷ番目のフレームで伝送された２番目のパケットに含まれ、前記Ｗは０より大きい数であることを特徴とする、請求項１に記載の資源割り当て方法。
【請求項７】
前記ＷはＷ＝Ｘ＋１を満足することを特徴とする、請求項６に記載の資源割り当て方法。
【請求項８】
移動通信端末に対してフレームに一つ以上の資源を割り当てるシステムにおいて、
Ｎ−Ｘ番目のフレームで伝送された１番目のフレームと関連して伝送された１番目のＭＡＣヘッダーでＮ番目のフレームに対する資源割り当てデータを含む論理ユニットを含み、
前記１番目のＭＡＣヘッダーは、前記Ｎ番目のフレームで伝送されたパケットの前のＸ番目のフレームで伝送された１番目のパケットに含まれ、前記Ｘは０より大きい数であることを特徴とする、資源割り当てシステム。
【請求項９】
前記Ｎ−Ｙ番目のフレームと関連した放送オーバーヘッドチャネル（Ｂｒｏａｄｃａｓｔ  Ｏｖｅｒｈｅａｄ  Ｃｈａｎｎｅｌ：ＢＯＣ）を通して前記Ｎ番目のフレームに対する資源割り当てデータを伝送する論理ユニットをさらに含むことを特徴とする、請求項８に記載の資源割り当てシステム。
【請求項１０】
前記Ｎ−Ｚ番目のフレームと関連した放送オーバーヘッドチャネル（ＢＯＣ）を通して前記Ｎ番目のフレームに対する前記資源割り当てデータを伝送する論理ユニットをさらに含むことを特徴とする、請求項９に記載の資源割り当てシステム。
【請求項１１】
Ｎ−Ｗ番目のフレームで伝送された２番目のパケットと関連して伝送された２番目のＭＡＣヘッダーでＮ番目のフレームに対して資源割り当てデータを含む論理ユニットをさらに含み、前記Ｗは０より大きい数であることを特徴とする、請求項８に記載の資源割り当てシステム。
【請求項１２】
１番目のセルにセットＸの資源を割り当て、２番目のセルにセットＹの資源を割り当てる方法において、
１番目の領域のセルから伝送されたもので、前記セットＸ及びＹを前記１番目の領域のセルに割り当てられた資源と見なす単一周波数ネットワークメッセージを使用し、前記１番目の領域で少なくとも一つ以上の移動通信端末に資源割り当てデータを伝送することを含み、
前記１番目のセル及び２番目のセルは、全て前記１番目の領域上にあるが、地理的に異なる周辺地域に位置し、
前記１番目のセルの１番目の移動通信端末は、１番目の非単一周波数ネットワーク（Ｎｏｎ−Ｓｉｎｇｌｅ  Ｆｒｅｑｕｅｎｃｙ  Ｎｅｔｗｏｒｋ）通知メッセージを受信することに応じて、セットＸの資源が前記１番目のセルに割り当てられるように通知を受け、
前記２番目のセルの２番目の移動通信端末は、２番目の非単一周波数ネットワーク通知メッセージを受信することに応じて、セットＹの資源が前記２番目のセルに割り当てられるように通知を受けることを特徴とする、資源割り当て方法。
【請求項１３】
前記１番目の領域で前記１番目及び２番目の地理的隣接セルで割り当てられた資源によって伝達される情報は同一であることを特徴とする、請求項１２に記載の資源割り当て方法。
【請求項１４】
一つ以上のセルに一つ以上の資源を割り当てる方法において、
一つの領域に位置するそれぞれのセルに対する資源数を判断し、
１番目の領域のセルに割り当てられたＮ資源を識別する前記１番目の領域のセルから伝送された単一周波数ネットワークメッセージを使用し、１番目のセル及び２番目のセルから前記１番目の領域に位置する少なくとも一つ以上の移動通信端末に資源割り当てデータを伝送し、
１番目の移動通信端末がＭ資源によって伝達された情報を受信することを通知するような非単一周波数ネットワークメッセージを通して前記Ｍ資源の２番目のセルに位置する前記１番目の移動通信端末を通知することを含み、前記Ｎ資源は、前記１番目の領域で地理上に１番目に隣接する前記１番目のセルに割り当てられ、前記Ｍ資源は、前記１番目の領域で地理上に２番目に隣接する前記２番目のセルに割り当てられ、前記Ｍは前記Ｎのサブセットであることを特徴とする、資源割り当て方法。
【請求項１５】
非単一周波数ネットワークメッセージを通して前記Ｍ資源を除いたＮ資源の２番目の移動通信端末を通知することをさらに含み、
前記資源は、前記１番目の移動通信端末に伝達された情報と異なる情報を伝達するのに用いられることを特徴とする、請求項１４に記載の資源割り当て方法。
【請求項１６】
一つ以上のセルに一つ以上の資源を割り当てる方法において、
一つの領域に位置するそれぞれのセルに対する資源数を判断し、
１番目の領域のセルに割り当てられたＮ資源を識別する前記１番目の領域のセルから伝送された単一周波数ネットワークメッセージを使用し、前記１番目の領域に位置する少なくとも一つ以上の移動通信端末に資源割り当てデータを伝送し、
１番目の移動通信端末がＭ資源を通して情報を受信するように通知を受けるような非単一周波数ネットワークメッセージを通して、Ｍ資源を除いたＮ資源の２番目のセルの前記１番目の移動通信端末を通知することを含み、
前記Ｎ資源は、前記１番目の領域で地理上に１番目に隣接する１番目のセルに割り当てられ、前記Ｍ資源は、前記１番目の領域で地理上に２番目に隣接する前記２番目のセルに割り当てられ、前記Ｍは前記Ｎのサブセットであることを特徴とする、資源割り当て方法。
【請求項１７】
１番目のセルにセットＸの資源を割り当て、２番目のセルにセットＹの資源を割り当てるシステムにおいて、
１番目の領域のセルから伝送されたもので、前記セットＸ及びＹを前記１番目の領域のセルに割り当てられた資源と見なす単一周波数ネットワークメッセージを使用し、前記１番目の領域で少なくとも一つ以上の移動通信端末に資源割り当てデータを伝送する論理ユニットを含み、
前記１番目のセル及び２番目のセルは、全て前記１番目の領域上にあるが、地理的に異なる周辺地域に位置し、
前記１番目のセルの１番目の移動通信端末は、１番目の非単一周波数ネットワーク通知メッセージを受信することに応じて、セットＸの資源が前記１番目のセルに割り当てられるように通知を受け、
前記２番目のセルの２番目の移動通信端末は、２番目の非単一周波数ネットワークの通知メッセージを受信することに応じて、セットＹの資源が前記２番目のセルに割り当てられるように通知を受けることを特徴とする、資源割り当てシステム。
【請求項１８】
前記１番目の領域の前記１番目及び２番目の地理的隣接地域で前記割り当てられた資源によって伝達された情報は同一であることを特徴とする、請求項１７に記載の資源割り当てシステム。
【請求項１９】
一以上のセルに一つ以上の資源を割り当てるシステムにおいて、
一つの領域に位置するそれぞれのセルに対する資源数を判断する論理ユニットと、
１番目の領域の一つ以上のセルに割り当てられたＮ資源を識別する前記１番目の領域の一つ以上のセルから伝送された単一周波数ネットワークメッセージを使用し、１番目のセル及び２番目のセルから前記１番目の領域に位置する少なくとも一つ以上の移動通信端末に資源割り当てデータを伝送する論理ユニットと、
１番目の移動通信端末がＭ資源によって伝達された情報を受信するように通知を受けるような非単一周波数ネットワークメッセージを通して前記Ｍ資源の２番目のセルに位置する前記１番目の移動通信端末を通知する論理ユニットと、を含み、
前記Ｎ資源は、前記１番目の領域で地理上に１番目に隣接する前記１番目のセルに割り当てられ、前記Ｍ資源は、前記１番目の領域で地理上に２番目に隣接する前記２番目のセルに割り当てられ、前記Ｍは前記Ｎのサブセットであることを特徴とする、資源割り当てシステム。
【請求項２０】
非単一周波数ネットワークメッセージを通してＭ資源を除いたＮ資源の２番目の移動通信端末を通知する論理ユニットをさらに含み、
前記資源は、前記１番目の移動通信端末に伝達された情報と異なる情報を伝達するのに用いられることを特徴とする、請求項１９に記載の資源割り当てシステム。
【発明の詳細な説明】
【技術分野】
【０００１】
本発明は、無線通信資源を用いる方法に関するもので、具体的に、移動ネックワークで効率的な無線通信のために資源を割り当てる方法に関するものである。
【背景技術】
【０００２】
無線通信産業では、通信プロトコルの１世代、２世代及び３世代がセルラー通信ネットワーク上で移動端末機間の通信を行うのに用いられている。
【０００３】
１世代は、ＡＭＰＳ（Ａｄｖａｎｃｅｄ  Ｍｏｂｉｌｅ  Ｐｈｏｎｅ  Ｓｅｒｖｉｃｅ）フォンシステムとして知られたアナログ端末システムと見なされる。２世代は、一般的に現在広く普及されたデジタルセルラーシステムを参照するのに使用され、ＣＤＭＡＯｎｅ、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、及びＴＤＭＡ（Ｔｉｍｅ  Ｄｉｖｉｓｉｏｎ  Ｍｕｌｔｉｐｌｅ  Ａｃｃｅｓｓ）を含む。２世代のシステムは、１世代のシステムよりも高密度の地域でより多くの使用者を支援することができる。
【０００４】
３世代は、一般的に現在構築中のデジタルセルラーシステムとして言及される。このような３世代の通信システムは、相互間に何らかの重要な差異点を有するという面で概念的に類似している。無線通信システムで、データを効率的に伝送するための伝送効率性を改善することは重要である。このために、より効率的なデータ通信方式及び資源管理を研究することが重要である。
【０００５】
簡略にＥＶと称されるＥＶ−ＤＯまたはＥＶＤＯ（Ｅｖｏｌｕｔｉｏｎ−Ｄａｔａ  ＯｐｔｉｍｉｚｅｄまたはＥｖｏｌｕｔｉｏｎ−Ｄａｔａ）は、典型的に広帯域インターネットアクセスのための無線信号を通してデータを無線伝送するための通信標準である。個別使用者の処理量（ｔｈｒｏｕｇｈｐｕｔ）及び全般的なシステム処理量を全て最大化するために、ＴＤＭＡのみならず、ＣＤＭＡを含むマルチプレキシング技法を使用する。
【０００６】
ＥＶＤＯは、高速データ伝送を支援するように設計され、無線搬送波の音声サービスの側面に沿って配置されるように設計された。ＥＶＤＯは、モバイルデバイスに対するアクセス及びＩＰ基盤のネットワークとして端末と端末との間で作動されるように設計された逆方向リンク無線インターフェースを提供する。したがって、ＥＶＤＯは、特定のビット伝送率の制限範囲内に属したネットワーク上で作動される任意の応用プログラムを支援することができる。
【０００７】
ＥＶＤＯ通信チャネルの主要な特徴を挙げると、例えば、基地局から端末への前方向リンクのように、アクセスネットワーク（Ａｃｃｅｓｓ  Ｎｅｔｗｏｒｋ：ＡＮ）からアクセス端末（Ａｃｃｅｓｓ  Ｔｅｒｍｉｎａｌ：ＡＴ）への前方向リンク上でマルチプレキシングされる時間である。これは、単一のモバイルが、与えられた時間スロットの間、特定の幾何学的地域（ｓｅｃｔｏｒ）内で前方向トラフィックチャネルを全部使用することを意味する。このような技術を通して、各使用者の時間スロットが独立的に変調される。したがって、非常に複雑な変調技術とともに、適合した無線周波数（ＲＦ）条件で使用者により良いサービスを提供する。そして、より簡単でかつ重複する信号で悪いＲＦ状態にある使用者にサービスを提供する。
【０００８】
前方向チャネルは、フレームとして言及される複数個のスロットを分割することもできる。使用者トラフィックのみならず、オーバーヘッドチャネルもストリームにインターレースされる。これは、端末がトラフィックチャネル、ＭＡＣ（Ｍｅｄｉａ  Ａｃｃｅｓｓ  Ｃｈａｎｎｅｌ）を探して識別するように助けるパイロットチャネルを含む。前記ＭＡＣは、端末がトラフィックチャネル及び無線ネットワーク上で適切な通信のために必要な他の情報（例えば、資源割り当てデータ）を提供する一つ以上の論理チャネル（例えば、制御チャネル）を通してデータを伝送するかを知らせる。
【０００９】
図１Ａを参照すれば、ＵＦ（Ｕｌｔｒａ  Ｆｒａｍｅ）のような一つのフレームに対する資源割り当てデータは、一フレーム前のＭＡＣヘッダーまたはＢＯＣ（Ｂｒｏａｄｃａｓｔ  Ｏｖｅｒｈｅａｄ  Ｃｈａｎｎｅｌ）内の領域に指定される。端末がＭＡＣヘッダー内のデータを用いると、現在のフレームで受信したパケットを既にデコーディングしてきた場合、前記端末はＢＯＣをモニタする必要がない。ＢＯＣを通して伝送される前記資源割り当てデータは、以前のフレームをデコーディングする機会を持たずに、新しく参加した端末またはそのフレームでデータを受信していない論理チャネルをモニタする端末によって使用されることもある。効率性を増加させ、資源割り当てデータを伝送するパケット損失によるエラーを減少させるために、資源割り当てデータを運搬するフレームまたはチャネルの数を追加し、重複するように支援しようとする。
【００１０】
さらに、移動通信ネットワークでセル内に資源を割り当てる現在の接近方式は、中心領域内に位置するセルよりも境界領域に位置するセルにより多くの資源を割り当てる。中心領域のセルは、ＯＴＡ（ｏｖｅｒ−ｔｈｅ−ａｉｒ）結合した長所を有する。
【００１１】
端末が放送地域の中心に位置するセル内にある場合、全ての隣接セルは、同一の信号を伝送するので、より良い放送信号強度を有することができる。しかしながら、放送地域の境界領域のセルに位置する端末は前記のような長所を持たない。したがって、境界地域のセルに対しては、同一の信号に信頼性を与えるために追加的な無線資源割り当てを行う必要がある。しかしながら、このような方法によれば、前記放送領域の境界領域の各セルはより多くの資源を有するように指定され、セルからセルに資源割り当て情報が変更されるという短所がある。このため、同一のＢＯＣは、同一の地域内の全てのセルに対して活用されないことがある。さらに、前記ＭＡＣヘッダーは、それぞれのセルに対して前記セルに対する資源割り当てデータのみを含むように設計されなければならない。
【発明の概要】
【発明が解決しようとする課題】
【００１２】
本発明は、上記のような必要性を勘案して提案されたもので、具体的に、移動ネックワークで効率的な無線通信のために資源を割り当てる方法を提供することを目的とする。
【課題を解決するための手段】
【００１３】
上述した課題を解決するための本発明の一実施例に係る移動通信端末に対するフレームに一つ以上の資源を割り当てる方法は、Ｎ−Ｘ番目のフレームで伝送された１番目のパケットと関連して伝送された１番目のＭＡＣヘッダーでＮ番目のフレームに対する資源割り当てデータを含むことを含み、前記１番目のＭＡＣヘッダーは、Ｎ番目のフレームで伝送されたパケットの前のＸ番目のフレームで伝送された１番目のパケットに含まれ、前記Ｘは０より大きい数である。
【００１４】
前記Ｎ−Ｙ番目のフレームと関連した放送オーバーヘッドチャネル（Ｂｒｏａｄｃａｓｔ  Ｏｖｅｒｈｅａｄ  Ｃｈａｎｎｅｌ：ＢＯＣ）を通して前記Ｎ番目のフレームに対する前記資源割り当てデータを伝送することをさらに含み、前記Ｙは前記Ｘと同一でないことがある。
【００１５】
前記Ｎ−Ｚ番目のフレームと関連した放送オーバーヘッドチャネル（ＢＯＣ）を通してＮ番目のフレームに対する資源割り当てデータを伝送することをさらに含み、前記Ｚは、前記ＹまたはＸと同一でないことがある。
【００１６】
上述した課題を解決するための本発明の他の実施例に係る１番目のセルにセットＸの資源を割り当て、２番目のセルにセットＹの資源を割り当てる方法は、１番目の領域のセルから伝送されたもので、前記セットＸ及びＹを前記１番目の領域のセルに割り当てられた資源と見なす単一周波数ネットワークメッセージを使用し、前記１番目の領域で少なくとも一つ以上の移動通信端末に資源割り当てデータを伝送することを含み、前記１番目のセル及び２番目のセルは、全て前記１番目の領域上にあるが、地理的に異なる周辺地域に位置し、前記１番目のセルの１番目の移動通信端末は、１番目の非単一周波数ネットワークの通知メッセージを受信することに応じて、セットＸの資源が前記１番目のセルに割り当てられるように通知を受けることができる。
【００１７】
望ましくは、前記２番目のセルの２番目の移動通信端末は、２番目の非単一周波数ネットワークの通知メッセージを受信することに応じて、セットＹの資源が前記２番目のセルに割り当てられるように通知を受けることができ、前記１番目の領域で前記１番目及び２番目の地理的な隣接セルで割り当てられた資源によって伝達される情報は同一なものである。
【００１８】
上述した課題を解決するための更に他の実施例に係る一つ以上の論理ユニットを含むシステムは、上述した方法発明と関連して行われるように構成される。本発明の更に他の実施例によれば、コンピュータ可読のプログラムを有するコンピュータに有用な媒体を含むコンピュータプログラム装置が提供される。前記コンピュータ可読のプログラムがコンピュータで実行されるとき、前記コンピュータが上述した方法発明と関連した機能を行うようにする。
【００１９】
以下、本発明に係る好適な実施形態を添付した図面を参照して詳細に説明する。添付した図面と一緒に以下で開示される詳細な説明は、本発明の例示的な実施形態を説明しようとするもので、本発明が実施される唯一の実施形態を表すものではない。
【発明の効果】
【００２０】
本発明に係る資源割り当て方法によれば、移動通信端末のために予め多数のフレームに資源割り当てデータを伝送することによって、モバイル多様性を通した効率的な無線通信を行うことができる。
【図面の簡単な説明】
【００２１】
【図１Ａ】本発明の一実施例によってＭＡＣヘッダー及びＢＯＣを用いて資源を割り当てる方式を示す図である。
【図１Ｂ】明の一実施例によってＭＡＣヘッダー及びＢＯＣを用いて資源を割り当てる方式を示す図である。
【図１Ｃ】本発明の一実施例によってＭＡＣヘッダー及びＢＯＣを用いて資源を割り当てる方式を示す図である。
【図２】本発明の一実施例によって論理チャネルの一例を示す図である。
【発明を実施するための形態】
【００２２】
本発明は、移動通信端末に対して一つ以上の資源を割り当てる方法に関するものである。本発明の一実施例に係る資源割り当て方法は、Ｎ−Ｘ番目のフレームで伝送された１番目のパケットと関連して伝送された１番目のＭＡＣヘッダー内のＮ番目のフレームに対する資源割り当てデータを含む。ここで、ＮとＸは整数であり、Ｘは正数である。前記１番目のＭＡＣヘッダーは、Ｎ番目のフレームで伝送されたパケットの前のＸ番目のフレームで伝送された１番目のパケットを含むことができる。
【００２３】
他の実施例で、前記資源割り当てデータは、例えば、Ｎ−Ｘ＋１のようなＮ−Ｙ番目のフレームと関連したＢＯＣを通してＮ番目のフレームに対して伝送される。ここで、ＹはＸと同一の値でない。追加的な資源割り当てデータは、前記ＢＯＣまたはＮ−Ｚ番目のフレームと関連したＭＡＣヘッダーを通してＮ番目のフレームに対して伝送される。ここで、Ｚは、ＹまたはＸと同一の値でない。
【００２４】
上述した資源割り当ては、端末に資源割り当てデータを提供するのに多様な方式で使用される。端末がエラー発生または他の問題によって資源割り当てデータを損失したり、受信していない場合、端末は、他の方法によって資源割り当てデータを検索する機会を追加的に有することができる。
【００２５】
図１Ｂを参照すれば、本発明の一実施例による資源割り当てデータは、図１Ａに示すように以前のフレームに含まれる代わりに、ＭＡＣヘッダーの種々のフレーム（例えば、２個のＵＦ）ヘッダーに含まれる。
【００２６】
この場合、端末がｎ−２番目のＵＦ（すなわち、直ぐ前にあるフレームの前のフレーム）上で伝送されたＭＡＣヘッダーで資源割り当てデータを受信しないと、端末は、ｎ−１番目のＵＦ（すなわち、直ぐ前にあるフレーム）と一緒に伝送されたＭＡＣヘッダーに含まれた同一のデータを受信することができる。
【００２７】
他の実施例で、追加的なリダンダンシーを提供するために、資源割り当てデータは、単一フレームの間に伝送されたＢＯＣを通して伝送される代わりに、ｎ−２番目のＵＦｎ−２及びｎ−１番目のＵＦのような多重フレームの間に伝送されたＢＯＣに全般的に含まれる。ＢＯＣを通した資源割り当てデータの伝送は、具現方式によって多重ＭＡＣヘッダーで資源割り当てデータを含むように結合される。
【００２８】
例えば、図１Ｂを参照すれば、図１Ａと対照的に、ＵＦに対する資源割り当ては、ｎ−１番目のＵＦと関連したＢＯＣを通して伝送される。その一方、同一の資源割り当てデータも、ｎ−２番目のＵＦと関連したＭＡＣヘッダー内で伝送される。この場合、以前のフレームで伝送されたデータパケットを損失した端末は、サブシークエンスフレームの間にＢＯＣに変更することによって、資源割り当てデータを検索することができる。
【００２９】
図１Ｃを参照すれば、本発明の他の実施例として、資源割り当てデータは、３個のＵＦのようなＭＡＣヘッダー内の前の３個のフレームに含まれる。そして、前の多数個のフレーム（例えば、２個のＵＦ）に伝送された同一の情報がＢＯＣを通して反復される。前記実施例で、端末がｎ−３番目のＵＦと関連したＭＡＣヘッダー上で資源割り当てデータを受信していない場合、端末は、依然としてＵＦｎ−２またはＵＦｎ−１に伝送されたＢＯＣから資源割り当てデータを検索することができる。
【００３０】
前記実施例で、多様な形態でネットワークの追加的なリダンダンシーを構築可能であることが注目される。すなわち、ターゲットフレームと関連した資源割り当てデータは、ＭＡＣヘッダーに含まれたり、多様な結合形態でターゲットフレームの前に伝送された他のフレームと関連したＢＯＣに含まれる。例えば、追加的な資源割り当てデータは、リダンダンシーを減少させ、それによって配達されていないパケットと関連したエラー率を減少させるために、予めＢＯＣを通して、またはＭＡＣヘッダー内で２、３、４またはｎ番目のフレームに提供される。
【００３１】
本発明の他の実施例によれば、セルラーネットワーク内に複数のセルが存在する場合、情報を放送する地域の中心領域内に位置するセルより前記地域の境界領域に位置するセルにより多くの資源が割り当てられる。この場合、前記内部セルは、前記地域の全てのセルのＯＴＡ（Ｏｖｅｒ  Ｔｈｅ  Ａｉｒ）結合した伝送の長所を有する。端末が放送地域の中心領域のセル内に位置する場合、全ての隣接セルが同一の信号を伝送するので、改善した放送信号強度を有することができる。しかしながら、放送地域の境界領域のセル内に位置する端末は、このような長所を持たない。該当地域の境界領域のセルに対して同一の信号に信頼的に与えるために追加的な無線資源が割り当てられる。
【００３２】
ＢＯＣ及びＭＡＣヘッダーに対する信号が同一であり、このようなそれぞれ異なるセルから来る信号がＯＴＡ（Ｏｖｅｒ  Ｔｈｅ  Ａｉｒ）結合されるように、放送地域の全てのセルのＢＯＣまたはＭＡＣヘッダーで同一の資源割り当てデータを伝送することが望ましい。前記実施例で、資源割り当て情報は、放送地域の中心領域または境界領域のセルの間で差があり得る。
【００３３】
前記問題点を解決するために、本発明の一実施例によれば、ＭＡＣヘッダー及びＢＯＣは、全てのセルに対する資源割り当てデータを含むように構成される。一例として、割り当てられた資源の少ないセルがいずれの資源を無視するかに関する通知を伝送することもできる。他の例で、割り当てられた資源の少ないセルは、放送地域で放送目的に割り当てられた特定の資源が該当のセルで他の目的に使用されることを指示する通知を伝送することもできる。この場合、ＢＯＣ及びＭＡＣヘッダーで指定された全てのセルに割り当てられた資源の数は同一である。すなわち、それぞれのセルに割り当てられた資源数と関係なしに、全てのセルはＢＯＣまたはＭＡＣヘッダーで同一の資源割り当てデータを受信する。
【００３４】
一実施例で、セルに割り当てられた資源に関する情報を該当のセルに提供するために、ターゲット資源を明示するセルから信号が伝送される。したがって、各セルの受信機は、セルに割り当てられていない資源に対する資源割り当て情報がＢＯＣまたはＭＡＣヘッダーに含まれるとしても、このような資源を無視する。他の実施例で、前記除外された資源を使用するために、任意の信号が非放送受信端末のような端末に伝送されることもある。
【００３５】
図２を参照すれば、少ない放送資源を有する放送地域の中心領域のセルは、資源の一部がＢＣＭＣＳ（Ｂｒｏａｄｃａｓｔ  Ｍｕｌｔｉｃａｓｔ  Ｓｅｒｖｉｃｅｓ）になるように構成されないか、または、これを支援していないセルでの端末を指定するためにｎｏｎ−ＳＦＮ（ｓｉｎｇｌｅ  ｆｒｅｑｕｅｎｃｙ  ｎｅｔｗｏｒｋ）メッセージを使用することができる。セクターのＰＢＣＣＨ（Ｐｒｉｍａｒｙ  Ｂｒｏａｄｃａｓｔ  Ｃｏｎｔｒｏｌ  Ｃｈａｎｎｅｌ）がＢＣＭＣＳに対して排除された資源を構成しないことがあるので、別途の資源が必要でないことがある。また、前記排除された情報に対する別途のメッセージが必要でないことがある。放送地域の境界領域のセルに対して、上述した接近方式はＢＯＣ及びＭＡＣカプセルヘッダー上でＳＦＮ利得を提供する。
【００３６】
一実施例によれば、前記ＢＯＣは、セクターＩＤのように他の資源割り当てを有する全てのサブゾーン（ｓｕｂ−ｚｏｎｅ）の資源を指定するのに用いられる。したがって、端末は、端末のアクティブセット内の現在のセクターＩＤを基盤にして端末がいずれの地域内に位置するかを知ることができる。また、ＢＯＣは、他の資源割り当てを有する全てのサブゾーンの資源を指定するのに用いられることもある。ｎｏｎ−ＳＦＮメッセージは、端末に端末のサブゾーンＩＤを知らせるのに用いられることもある。
【００３７】
一実施例で、内部地域で取り出された資源も、ＢＣＭＣＳ論理チャネルとして指定されたり、または広告される。すなわち、排除情報もＳＦＮ利得を有する。これと同様に、外部地域で追加された資源は、ＢＣＭＣＳ論理チャネルで広告される。すなわち、包含情報もＳＦＮ利得を有する。
【００３８】
具現方式によって、本発明は、全般的にハードウェア実施例、ソフトウェア実施例またはハードウェア及びソフトウェア要素を全て備えた実施例の形態を有することができる。ソフトウェア実施例は、ファームウェア、常駐ソフトウェア、マイクロコードなどを含むことができるが、これに限定されるわけではない。
【００３９】
また、本発明は、コンピュータまたは命令語実行システムによるか、これを使用するためにプログラムコードを提供するコンピュータまたはコンピュータ判読可能な媒体からアクセス可能なコンピュータプログラム製品の形態にすることができる。本発明の目的を達成するために、コンピュータまたはコンピュータ判読可能な媒体は、命令語実行システム、装置またはデバイスを使用するためのものであるか、これと関連したプログラムを包含、保存、通信、伝播または通信可能ないずれかの装置になり得る。
【００４０】
プログラムコードを保存または実行するために適したデータ演算システムは、直接または間接的にシステムバスを通してメモリ構成要素に連結された少なくとも一つ以上のプロセッサを含む。前記メモリは、プログラムコードを実際に実行する間に作動するローカルメモリ、大量保存装置、及び実行する間に大量保存から検索される時間コードの数を減少させるために少なくともいずれかのプログラムの一時的な保存を提供するキャッシュメモリを含むことができる。
【００４１】
他の構成要素がシステムに含まれることもある。キーボード、ディスプレイ、ポインティングデバイスを含むが、これに限定されることのないＩｎｐｕｔ／ｏｕｔｐｕｔ（Ｉ／Ｏ）デバイスは、仲裁するＩ／Ｏ制御器を通して直接または間接的にシステムに含まれる。ネットワークアダプタ（例えば、モデム、ケーブルモデム、インターネットカード）も、個人または共用ネットワーク媒介を通して他のデータプロセシングシステム、遠隔プリンタまたは保存装置に含まれるデータプロセシングシステムに含まれる。
【００４２】
論理コード、プログラム、モジュール、プロセス、方法及び各方法のそれぞれの構成要素が行われる順序は、本発明の一例である。本発明の一実施例によって、前記論理コード、プログラム、モジュール、プロセス、方法及び各方法のそれぞれの構成要素は、本発明の詳細な説明で明示されていない一つの任意の順序で行われたり、並行して行われる。また、ロジックコードは、いずれかの特定のプログラム言語と関連していないか、これに限定されるものでなく、本明細書で言及されたり、言及されていない一つ以上のプロセッサまたはマルチプロセッシング環境で実行する一つ以上のモジュールで構成されることもある。
【００４３】
上述した方法は、集積回路チップの製造に使用される。その結果による集積回路チップは、ベアダイ（ｂａｒｅ  ｄｉｅ）またはパッケージ形態のように加工されたウェハ形態（ｍｕｌｔｉｐｌｅ  ｕｎｐａｃｋａｇｅｄ  ｃｈｉｐを有する単一ウェハのように）で製造されることによって伝達される。後者の場合、前記回路チップは、単一のチップパッケージ（マザーボードまたは他のハイレバルキャリアに添付されるプラスチックキャリアのような）、または多重チップパッケージ（埋められた相互連結の一側または両側表面の相互連結を有するセラミックキャリアのような）に付着される。
【００４４】
場合によって、前記回路チップは、他のチップ、分離された回路構成要素及び／又はマザーボードのような中間製品または最終製品の一部のような他の単一プロセシングデバイスと統合される。最終製品は、おもちゃ及び他のローエンドアプリケーション（ｌｏｗ−ｅｎｄ  ａｐｐｌｉｃａｔｉｏｎ）からディスプレイ、キーボードまたは他の入力デバイス及び中央プロセッサを有するコンピュータプログラムに至るまで、集積回路チップを含むいずれの製品にもなり得る。
【００４５】
上述したように開示された本発明の好適な実施形態に対する詳細な説明は、当業者が本発明を具現・実施できるように提供された。上記では、本発明の好適な実施形態を参照して説明したが、該当の技術分野で熟練した当業者であれば、下記の特許請求の範囲に記載された本発明の思想及び領域から逸脱しない範囲内で本発明を多様に修正及び変更可能であることを理解することができる。したがって、本発明は、ここで開示された実施形態に制限されるものでなく、ここで開示された原理及び新規の特徴と一致する最広の範囲を与えるためのものである。
【図１Ａ】
2010530145.tif 000003
【図１Ｂ】
2010530145.tif 000004
【図１Ｃ】
2010530145.tif 000005
【図２】
2010530145.tif 000006